(57)【特許請求の範囲】
【請求項１】
衣類を収容する回転ドラムと、
該回転ドラムに対する給気と排気とを行う給排気ファンと、
該回転ドラムに対する給気通路に配置された加熱手段と、
該回転ドラムのドアの開閉を検出するドア開閉検出手段と、
該ドア開閉検出手段により前記回転ドラムのドアが閉められていることが検出されているときに、前記加熱手段と前記給排気ファンとを作動させる衣類乾燥運転を実行し、該衣類乾燥運転の実行中に、前記ドア開閉検出手段により前記ドアが開けられたことが検出されたときに、該衣類乾燥運転を中断する運転制御手段とを備えた衣類乾燥機において、
前記衣類乾燥運転の再開を指示するための運転再開スイッチを備え、
前記運転制御手段は、前記衣類乾燥運転を中断したときに、前記ドア開閉検出手段により前記回転ドラムのドアが閉められたことが検出されたときには、その後第１の所定時間が経過するまでに前記運転再開スイッチが操作されるか否かを判断して、該第１の所定時間が経過するまでに前記運転再開スイッチが操作されたときは前記衣類乾燥運転を再開し、該第１の所定時間が経過するまでに前記運転再開スイッチが操作されなかったときには、前記加熱手段の加熱動作を停止して前記給排気ファンを作動させる冷却運転を実行することを特徴とする衣類乾燥機。
【請求項２】
報知手段を備え、
前記運転制御手段は、前記衣類乾燥運転を中断した後、第２の所定時間が経過するまでに前記ドア開閉検出手段により前記ドアが閉められたことが検出されなかったときに、前記報知手段による報知を行うことを特徴とする請求項１記載の衣類乾燥機。
【発明の詳細な説明】
【技術分野】
【０００１】
本発明は、乾燥運転の実行中に回転ドラムのドアが開けられたときに、乾燥運転の実行を中断する衣類乾燥機に関する。
【背景技術】
【０００２】
従来より、回転ドラム内に衣類を収容し、該回転ドラムを回転させながら該回転ドラム内に温風を供給することによって、衣類を乾燥させる衣類乾燥運転を実行する衣類乾燥機が知られている（例えば、特許文献１参照）。
【０００３】
そして、特許文献１に記載された衣類乾燥機においては、衣類乾燥運転の実行中に、使用者が衣類の乾燥度合いを確認するために回転ドラムのドアを開けたときに、衣類乾燥運転の実行を中断し、その後使用者が回転ドアを閉めたときに衣類乾燥運転を再開するようにしている。
【特許文献１】特開２００１−１４９６９８号公報
【発明の開示】
【発明が解決しようとする課題】
【０００４】
上述した従来の衣類乾燥機においては、衣類乾燥運転の実行中に使用者が回転ドラムのドアを開けたときに衣類乾燥運転が中断されるが、その後使用者が回転ドラムのドアを閉めると、衣類乾燥運転が無条件に再開される。
【０００５】
この場合、回転ドラムのドアを開けて衣類の乾燥度合いを確認した使用者が、乾燥が十分だと判断したときには衣類を回転ドラムから取り出すが、回転ドアを閉めると衣類乾燥運転が再開されてしまう。そのため、使用者としては既に衣類乾燥が完了したと判断しているにも拘らず、回転ドアを閉めたときに、不要な衣類乾燥運転が再開されていまい、無駄なエネルギーが消費されてしまう。
【０００６】
そこで、中断された衣類乾燥運転の再開を指示するための運転再開スイッチを設け、使用者が回転ドラムのドアを開けて衣類乾燥運転が中断されたときに、その後、使用者が回転ドラムのドアを閉めて該スイッチを操作したときにのみ、衣類乾燥運転を再開するようにすることが考えられる。
【０００７】
しかし、このように運転再開スイッチの操作を衣類乾燥運転を再開する条件とした場合、衣類の乾燥が不十分だと判断した使用者が衣類乾燥運転を再開させるつもりで回転ドラムのドアを閉めたときに、運転再開スイッチの操作をし忘れると、回転ドラム内に衣類が放置されることが生じ得る。
【０００８】
そして、この場合に、油が付着した衣類が衣類乾燥運転により加熱された回転ドラム内に放置されると、油の酸化による発熱により蓄熱されて、衣類の温度が上昇して発火するおそれがある。
【０００９】
そこで、本発明は、使用者の意に反して無駄な衣類乾燥運転が実行されることを防止することができると共に、回転ドラム内の衣類の発火を防止することができる衣類乾燥機を提供することを目的とする。
【課題を解決するための手段】
【００１０】
本発明は上記目的を達成するためになされたものであり、衣類を収容する回転ドラムと、該回転ドラムに対する給気と排気とを行う給排気ファンと、該回転ドラムに対する給気通路に配置された加熱手段と、該回転ドラムのドアの開閉を検出するドア開閉検出手段と、 該ドア開閉検出手段により前記回転ドラムのドアが閉められていることが検出されているときに、前記加熱手段と前記給排気ファンとを作動させる衣類乾燥運転を実行し、該衣類乾燥運転の実行中に、前記ドア開閉検出手段により前記ドアが開けられたことが検出されたときに、該衣類乾燥運転を中断する運転制御手段とを備えた衣類乾燥機の改良に関する。
【００１１】
そして、前記衣類乾燥運転の再開を指示するための運転再開スイッチを備え、前記運転制御手段は、前記衣類乾燥運転を中断したときに、前記ドア開閉検出手段により前記回転ドラムのドアが閉められたことが検出されたときには、その後第１の所定時間が経過するまでに前記運転再開スイッチが操作されるか否かを判断して、該第１の所定時間が経過するまでに前記運転再開スイッチが操作されたときは前記衣類乾燥運転を再開し、該第１の所定時間が経過するまでに前記運転再開スイッチが操作されなかったときには、前記加熱手段の加熱動作を停止して前記給排気ファンを作動させる冷却運転を実行することを特徴とする。
【００１２】
かかる本発明によれば、前記衣類乾燥運転の実行中に使用者が回転ドラムのドアを開けたことが前記ドア開閉検出手段により検出されると、前記運転制御手段により前記衣類乾燥運転が中断される。そして、前記運転制御手段は、前記衣類乾燥運転を中断した後、使用者が回転ドラムを閉めたことが前記ドア開閉検出手段により検出されても、その後に使用者により前記運転再開スイッチが操作されるまで、前記衣類乾燥運転を中断した状態を維持する。そのため、回転ドラムのドアを開けて衣類を取り出した使用者が、回転ドラムのドアを閉めたときに、衣類乾燥を終了した使用者の意に反して前記衣類乾燥運転が再開され、無駄なエネルギーが消費されることを防止することができる。
【００１３】
また、前記衣類乾燥運転の実行中に、使用者が回転ドラムのドアを開けて衣類の乾燥状況を確認し、乾燥状況が不十分であると考えて回転ドラムのドアを閉めたときに、前記運転再開スイッチの操作をし忘れたときには、前記第１の所定時間が経過した時に前記運転制御手段により前記冷却運転が実行される。そのため、油が付着した衣類が前記衣類乾燥運転が中断された状態で回転ドラム内に放置されたときに、油の酸化による発熱により蓄熱されて、衣類の温度が上昇して発火することを防止することができる。
【００１４】
また、報知手段を備え、前記運転制御手段は、前記衣類乾燥運転を中断した後、第２の所定時間内に前記ドア開閉検出手段により前記ドアが閉められたことが検出されなかったときに、前記報知手段による報知を行うことを特徴とする。
【００１５】
かかる本発明によれば、前記衣類乾燥運転の実行中に回転ドラムのドアを開けた使用者が、回転ドラムから衣類を取り出さずに回転ドアを開けたままで放置したときに、前記第２の所定時間が経過した時に前記報知手段による報知が行われる。そして、この報知により、使用者に回転ドラムのドアを閉めて衣類乾燥運転を再開すること、或いは回転ドラムから衣類を取り出すことを促すことができる。そのため、油が付着した衣類が回転ドラム内に放置されたときに、油の酸化による発熱により蓄熱されて、衣類の温度が上昇して発火することを防止することができる。
【発明を実施するための最良の形態】
【００１６】
本発明の実施の形態について、図１から図５を参照して説明する。図１は本実施の形態における衣類乾燥機の全体構成図であり、衣類乾燥機１は、マイクロコンピュータにより構成された電子ユニットであるコントローラ３１（本発明の運転制御手段の機能を含む）によって、全体の作動が制御される。
【００１７】
衣類乾燥機１は、衣類Ｍが投入される回転ドラム２と、底面に配設されたフィルタ３ａ付きの給気口３から空気を吸入して回転ドラム２内に供給すると共に、回転ドラム２内の空気を回転ドラム２の背面に開設されたフィルタ４ａ付きの排気口４を介して排気ダクト５に排気する給排気ファン６と、回転ドラム２をベルト２ａを介して回転駆動すると共に、給排気ファン６をベルト６ａを介して回転駆動するモータ７とを備えている。
【００１８】
また、衣類乾燥機１は、給気口３から回転ドラム２への空気の給気通路中に配置されたバーナ８、及びバーナ８の燃焼排ガスを空気と共に温風として回転ドラム２内に導入する燃焼筐９を備えている。そして、バーナ８と連通したガス供給路８ａには、第１の電磁弁１０と第２の電磁弁１１と比例弁１２とが介設されている。また、燃焼筐９には、バーナ８に点火するための点火電極１３と、失火検知のための第１サーモカップル１４と、過熱検知のための第２サーモカップル１５と、バイメタルスイッチからなる第１オーバーヒートスイッチ１６と、回転ドラム２に供給される温風の温度を検出する吹出温センサ１７とが設けられている。
【００１９】
さらに、衣類乾燥機１は、回転ドラム２のドア１８の開閉を検出するドアスイッチ１９（本発明のドア開閉検出手段に相当する）と、回転ドラム２内の衣類Ｍの温度を検出する衣類温センサ２０と、回転ドラム２内の衣類Ｍに接触する一対の電極２１ａ，２１ｂ間の抵抗変化から衣類Ｍの乾燥度合を検出する電極センサ２１と、排気ダクト５内に配置した排気温センサ２２及び第２オーバーヒートスイッチ２３（例えば、作動温度８５℃）と、回転ドラム２に装着された磁石２４ａを検出して回転ドラム２の回転を検出するドラム用回転検出器２４と、給排気ファン６に装着された磁石２５ａを検出して給排気ファン６の回転を検出するファン用回転検出器２５とを備えている。
【００２０】
また、衣類乾燥機１の前面の操作パネル４０には、図２に示したように、衣類乾燥運転のコース（標準、厚物、毛布等）を切換えて選択するためのコース切換スイッチ４１と、各コースに対して設けられてコース切換スイッチ４１により選択されたときに点灯するＬＥＤ４２と、衣類乾燥運転のおおよその残時間を表示する残時間表示部４３と、衣類乾燥運転の開始，一時停止及び運転再開を指示するためのスタート／一時停止スイッチ４４（本発明の運転再開スイッチの機能を含む）と、衣類乾燥機１の電源ＯＮを指示するための電源入スイッチ４６と、衣類乾燥機１の電源を冷却運転終了後にＯＦＦを指示するための電源切スイッチ４５と、ブザー４７とが設けられている。
【００２１】
次に、図２を参照して、コントローラ３１には、操作パネル４０に設けられた各スイッチ（コース切換スイッチ４１、スタート／一時停止スイッチ４４、電源切スイッチ４５、電源入スイッチ４６）からのＯＮ／ＯＦＦ信号と、各センサ（衣類温センサ２０、排気温センサ２２、吹出温センサ１７、電極センサ２１、第１サーモカップル１４、第２サーモカップル１５、ドラム用回転検出器２４、ファン用回転検出器２５）からの検出信号と、各スイッチ（第１オーバーヒートスイッチ１６、第２オーバーヒートスイッチ２３、ドアスイッチ１９）からのＯＮ／ＯＦＦ信号とが入力される。
【００２２】
また、コントローラ３１から出力される制御信号により、モータドライバ３２を介してモータ７の作動が制御され、また、第１電磁弁１０、第２電磁弁１１、比例弁１２、点火電極１３、及びブザー４７の作動が制御される。さらに、コントローラ３１から出力される制御信号により、ブザー４７のＯＮ／ＯＦＦ及びＬＥＤ４２のＯＮ／ＯＦＦと残時間表示部４３の表示内容が変更される。
【００２３】
使用者の操作により電源入スイッチ４６がＯＮすると、コントローラ３１への電源供給が開始されてコントローラが起動し、コース切換スイッチ４１とスタート／一時停止スイッチ４４の操作が可能となる。そして、使用者がコース切換スイッチ４１を操作して、衣類乾燥運転のいずれかのコースを選択した後に、スタート／一時停止スイッチ４４を操作すると、衣類乾燥機１は、コントローラ３１により、選択されたコースによる衣類乾燥運転を開始する。
【００２４】
コントローラ３１は、ドアスイッチ１９のＯＮにより回転ドラム２のドア１８が閉まっていることを確認した上で、先ず、モータ７をＯＮ（これにより、回転ドラム２と給排気ファン６が共に回転を開始する）し、続いて点火電極１３に高電圧を印加して火花放電を生じさせると共に、第１電磁弁１０及び第２電磁弁１１を開弁し、比例弁１２の開度を中間位置としてバーナ８に燃料ガスを供給し、バーナ８に点火する。そして、第１サーモカップル１３によりバーナ８の着火が検知された後、コントローラ３１は、比例弁１２の開度を調節してバーナ８の燃焼量を制御し、各コースによる衣類乾燥運転を実行する。
【００２５】
コントローラ３１は、衣類乾燥運転において、各センサからの検出信号及び各スイッチからのＯＮ／ＯＦＦ信号に基いて、バーナ８の燃焼量を制御し、各コースに応じた内容の衣類乾燥運転を実行し、運転終了条件が成立したときに衣類乾燥運転を終了する。
【００２６】
次に、図３〜図５に示したフローチャートに従って、衣類乾燥運転の実行中に回転ドラム２のドアが開けられたとき、スタート／一時停止スイッチ４４が操作されたとき、及び電源切スイッチ４５が操作されたときのコントローラ３１による処理について説明する。
【００２７】
コントローラ３１は、衣類乾燥運転の開始後、図１のＳＴＥＰ１〜ＳＴＥＰ４のループを繰り返し実行しつつ、ＳＴＥＰ１で電源切スイッチ４５がＯＮしたか否かを判断し、ＳＴＥＰ２でスタート／一時停止スイッチ４４がＯＮしたか否かを判断し、ＳＴＥＰ３でドアスイッチ１９がＯＦＦ（ドア１８が開状態）したか否かを判断し、ＳＴＥＰ４で衣類乾燥運転の終了条件が成立したか否かを判断する。
【００２８】
そして、ＳＴＥＰ４で衣類乾燥運転の終了条件が成立したときにＳＴＥＰ５に進み、第１電磁弁１０及び第２電磁弁１１を閉弁すると共にモータ７を停止して衣類乾燥運転を終了する。また、衣類乾燥運転を終了する際には、バーナ８を消火状態に維持して給排気ファン６を作動させることにより、回転ドラム２内に送付して回転ドラム２内を冷却する冷却運転を実行する。そして、続くＳＴＥＰ６でブザー４７をＯＮして衣類乾燥運転の終了を使用者に報知する。
【００２９】
また、ＳＴＥＰ１で電源切スイッチ４５がＯＮしたとき（使用者により電源切スイッチ４５が操作されたとき）は、ＳＴＥＰ１からＳＴＥＰ５に分岐する。そして、ＳＴＥＰ５で衣類乾燥運転を終了して冷却運転を実行し、続くＳＴＥＰ６でブザー４７をＯＮして衣類乾燥運転の終了を使用者に報知する。
【００３０】
また、ＳＴＥＰ２でスタート／一時停止スイッチ４４がＯＮしたとき（使用者によりスタート／一時停止スイッチ４４が操作されたとき）は、ＳＴＥＰ２から図４のＳＴＥＰ１０に分岐して衣類乾燥運転を中断し、ＳＴＥＰ１１以降の処理を実行する。
【００３１】
また、ＳＴＥＰ３でドアスイッチ１９がＯＦＦ（ドア１８が開状態）となったときにも、ＳＴＥＰ３から図５のＳＴＥＰ３０に分岐して、コントローラ３１は衣類乾燥運転を中断し、ＳＴＥＰ３１以降の処理を実行する。
【００３２】
コントローラ３１は、図４のＳＴＥＰ１０で衣類乾燥運転を中断し、ＳＴＥＰ１１で第１タイマ（例えば、２分をタイマ計時時間とし、第１タイマのタイマ計時時間は本発明の第１の所定時間に相当する）をスタートさせる。そして、続くＳＴＥＰ１２〜ＳＴＥＰ１５のループを繰り返し実行しつつ、ＳＴＥＰ１２で電源切スイッチ４５がＯＮしたか否かを判断し、ＳＴＥＰ１３でドアスイッチ１９がＯＦＦ（ドア１８が開状態）したか否かを判断し、ＳＴＥＰ１４で第１タイマのタイムアップの有無を判断し、ＳＴＥＰ１５でスタート／一時停止スイッチ４４がＯＮしたか否かを判断する。
【００３３】
そして、ＳＴＥＰ１５でスタート／一時停止スイッチ４４がＯＮしたときにＳＴＥＰ１６に進み、コントローラ３１は衣類乾燥運転を再開する。そして、図３のＳＴＥＰ１に戻り、コントローラ３１は、上述したＳＴＥＰ１〜ＳＴＥＰ４のループを実行する。
【００３４】
また、図４のＳＴＥＰ１２で電源切スイッチ４５がＯＮしたときはＳＴＥＰ２０に分岐し、コントローラ３１は、バーナ８を消火状態に維持して給排気ファン６を作動させることにより、回転ドラム２内に送付して回転ドラム２内を冷却する冷却運転を実行する。そして、図３のＳＴＥＰ７に進んで運転を終了する。
【００３５】
また、図４のＳＴＥＰ１３でドアスイッチ１９がＯＦＦ（ドア１８が開状態）となったときは図５のＳＴＥＰ３１に分岐する。また、図４のＳＴＥＰ１４で第１タイマがタイムアップしたときはＳＴＥＰ２０に分岐し、コントローラ３１は、回転ドラム２内を冷却する冷却運転を実行する。
【００３６】
これにより、使用者が、図３のＳＴＥＰ２でスタート／一時停止スイッチ４４を操作して衣類乾燥運転を中断した後、ＳＴＥＰ１５で第１タイマがタイムアップするまでＳＴＥＰ２でスタート／一時停止スイッチ４４を操作せず、回転ドラム２内に油が付着した衣類Ｍが報知されたときに、油の酸化による発熱により蓄熱されて、衣類Ｍの温度が上昇して発火することを防止することができる。
【００３７】
なお、冷却運転は、予め定めた一定時間実行するようにしてもよく、衣類温センサ２０や排気温センサ２２による検出温度が所定温度以下に下がるまで実行するようにしてもよい。また、コントローラ３１は、冷却運転の実行中に運転切スイッチ４５が長押し操作されたとき（運転切スイッチ４５が一定時間以上継続してＯＮ状態となったとき）に、冷却運転を終了する。
【００３８】
次に、図３のＳＴＥＰ３でドアスイッチ１８がＯＦＦ（ドア１８が開状態）となって図５のＳＴＥＰ３０に分岐したときに、コントローラ３１は、ＳＴＥＰ３０で「衣類乾燥運転」を中断し、続くＳＴＥＰ３１で第２タイマ（例えば、５分をタイマ計時時間とし、第２のタイマのタイマ計時時間は本発明の第２の所定時間に相当する）をスタートさせる。また、コントローラ３１は、図４のＳＴＥＰ１３でドアスイッチ１８がＯＦＦ（ドア１８が開状態）となったときにも、図５のＳＴＥＰ３１に分岐して第２タイマをスタートさせる。
【００３９】
そして、コントローラ３１は、図５のＳＴＥＰ３２〜ＳＴＥＰ３４のループを実行しつつ、ＳＴＥＰ３２で電源切スイッチ４５が長押しされたか否かを判断し、ＳＴＥＰ３３で第２タイマのタイムアップの有無を判断し、ＳＴＥＰ３４でドアスイッチ１９がＯＮ（ドア１８が閉状態）したか否かを判断する。この場合、電源切スイッチ４５の長押しという特殊操作を条件として図３のＳＴＥＰ７に分岐する。そのため、使用者による電源切スイッチ４５の誤操作によって、冷却運転を伴なわずに衣類乾燥運転が終了することを防止することができる。
【００４０】
ＳＴＥＰ３４でドアスイッチ１９がＯＮしたときは図４のＳＴＥＰ１１に分岐し、上述したＳＴＥＰ１１以降の処理を実行する。この場合、使用者がドア１８を閉めても、図４のＳＴＥＰ１２〜ＳＴＥＰ１５のループで電源切スイッチ４５又はスタート／一時停止スイッチ４４を操作しなければ、ＳＴＥＰ１４で第１タイマがタイムアップしてＳＴＥＰ２０に分岐して冷却運転が実行される。
【００４１】
そのため、使用者が回転ドラム２内の衣類Ｍを取り出さずにドア１８を閉めた後に、電源切スイッチ４５又はスタート／一時停止スイッチ４４の操作をし忘れ、油が付着した衣類Ｍが回転ドラム２内に放置されたときに、油の酸化による発熱により蓄熱されて、衣類の温度が上昇して発火することを防止することができる。
【００４２】
また、ＳＴＥＰ３２で電源切スイッチ４５が長押しされたときは図３のＳＴＥＰ７に分岐し、コントローラ３１は衣類乾燥運転を終了する。なお、この場合に、ＳＴＥＰ３１で第２タイマをスタートさせたときに、その後所定時間（例えば１０秒）内は電源切スイッチ４５の長押しを判断しないようにしてもよい。これにより、使用者が回転ドラム２のドア１８を開けた後、誤って瞬間的に電源切スイッチ４５を操作したときに、図３のＳＴＥＰ７に分岐し、使用者の意に反して、冷却運転を伴なわずに衣類乾燥運転が終了することを防止することができる。
【００４３】
また、図５のＳＴＥＰ３３で第２タイマがタイムアップしたときはＳＴＥＰ４０に分岐する。そして、コントローラ３１は、ＳＴＥＰ４０でブザー４７をＯＮ（鳴動）させる。このブザー４７の鳴動により、衣類乾燥運転の実行中にドア１８が開けられて衣類乾燥運転が中断された後、ドア１８が開いたままになっていることを使用者に報知して、その後の対応を促すことができる。使用者は、この報知に応じて、回転ドラム２内の衣類Ｍを取り出して電源切スイッチ４５を長押し、衣類乾燥運転を終了することができる。或いは、ドア１８を閉めてスタート／一時停止スイッチ４４を操作し、衣類乾燥運転を再開することができる。
【００４４】
そして、コントローラ３１は、続くＳＴＥＰ４１〜ＳＴＥＰ４２のループを繰り返し実行しつつ、ＳＴＥＰ４１で電源切スイッチ４５が長押しされたか否かを判断し、ＳＴＥＰ４２でドアスイッチ１９がＯＮ（ドア１８が閉状態）したか否かを判断する。
【００４５】
ＳＴＥＰ４２でドアスイッチ１８がＯＮ（ドア１８が閉状態）したときはＳＴＥＰ４３に進み、コントローラ３１はブザー４７をＯＦＦする。そして、図４のＳＴＥＰ１１に進み、コントローラ３１は、上述したＳＴＥＰ１１以下の処理を実行する。
【００４６】
また、ＳＴＥＰ４１で電源切スイッチ４５が長押しされたときはＳＴＥＰ５０に分岐し、コントローラ３１はブザー４７をＯＦＦする。そして、図３のＳＴＥＰ７に進み、コントローラ３１は衣類乾燥運転を終了する。
【００４７】
なお、本実施の形態においては、図５のＳＴＥＰ３１〜ＳＴＥＰ３４及びＳＴＥＰ４０の処理により、「衣類乾燥運転」の実行中にドア１８が開けられて「衣類乾燥運転」が中断された後、一定時間（第２タイマのタイマ計時時間）内にドア１８が閉められたことが検出されなかったときに、ＳＴＥＰ４０でブザーによる報知を行ったが、かかる報知を行わない場合であっても本発明の効果を得ることができる。
【００４８】
また、本実施の形態では、本発明の衣類乾燥機として、バーナ８を加熱手段とする衣類乾燥機を示したが、電気ヒータや温水循環式の熱交換器等、他の種類の加熱手段を採用した衣類乾燥機に対しても、同様に本発明の適用が可能である。
【図面の簡単な説明】
【００４９】
【図１】本発明の衣類乾燥機の全体構成図。
【図２】図１に示した衣類乾燥機の制御ブロック図。
【図３】衣類乾燥運転の実行中に電源切スイッチ又はスタート／一時停止スイッチが操作されたとき、及びドアが開けられたときの処理を示すフローチャート。
【図４】衣類乾燥運転の実行中に電源切スイッチ又はスタート／一時停止スイッチが操作されたとき、及びドアが開けられたときの処理を示すフローチャート。
【図５】衣類乾燥運転の中断中に電源切スイッチが長押し操作されたとき、及びドアが開けられたときの処理を示すフローチャート。
【符号の説明】
【００５０】
１…衣類乾燥機、２…回転ドラム、６…給排気ファン、７…モータ、８…バーナ（加熱手段）、１９…ドアスイッチ（ドア開閉検出手段）、３１…コントローラ（運転制御手段）、４４…スタート／一時停止スイッチ（運転再開スイッチ）
【図１】
0004873421.tif 000002
【図２】
0004873421.tif 000003
【図３】
0004873421.tif 000004
【図４】
0004873421.tif 000005
【図５】
0004873421.tif 000006